【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器によって、スロットのランダムアクセスチャネル部分内で第1の種類のランダムアクセス送信または第2の種類のランダムアクセス送信の少なくとも一方を送信するべきかどうかをチャネル条件に基づき判定するステップであって、前記スロットの前記ランダムアクセスチャネル部分が、アップリンク通信またはダウンリンク通信のうちの少なくとも1つのためにネットワークへアクセス可能にするために使用され、
前記第1の種類のランダムアクセス送信が、プリアンブルを含み、
前記第2の種類のランダムアクセス送信が、前記プリアンブルとランダムアクセスメッセージとを含み、
前記第1の種類のランダムアクセス送信および前記第2の種類のランダムアクセス送信の各々は、共通のユニット構造で構成され、
前記スロットの前記ランダムアクセスチャネル部分が、ユニットのグリッドを含み、
前記第1の種類のランダムアクセス送信が、周波数および第1の時間に関連付けられる前記ユニットのグリッドの第1のユニットに割り当てられ、
前記第2の種類のランダムアクセス送信が、前記周波数および第2の時間に関連付けられる前記ユニットのグリッドの第2のユニットに割り当てられ、
前記第1のユニットおよび前記第2のユニットが重複しない、ステップと、
前記ユーザ機器によって、前記スロットの前記ランダムアクセスチャネル部分内で前記第1の種類のランダムアクセス送信または前記第2の種類のランダムアクセス送信の前記少なくとも一方を送信するステップとを含む方法。
【請求項２】
前記プリアンブルは、前記ユニットのグリッドのうちの1つのユニットを占有し、前記ランダムアクセスメッセージは、前記ユニットのグリッドのうちの1つのユニットを占有する、請求項1に記載の方法。
【請求項３】
前記第2の種類のランダムアクセス送信は、複数のランダムアクセスメッセージを含み、
前記複数のランダムアクセスメッセージの各々は、前記ユニットのグリッドのうちの異なるユニットを占有する、請求項2に記載の方法。
【請求項４】
前記第1の種類のランダムアクセス送信および前記第2の種類のランダムアクセス送信は、前記スロットの前記ランダムアクセスチャネル部分内で送信される、請求項1に記載の方法。
【請求項５】
前記第1の種類のランダムアクセス送信および前記第2の種類のランダムアクセス送信は、前記スロットの前記ランダムアクセスチャネル部分の別個のリソースを使用して送信される、請求項4に記載の方法。
【請求項６】
前記別個のリソース用のスケジュールは、基地局シグナリングによって特定される、請求項5に記載の方法。
【請求項７】
前記第1の種類のランダムアクセス送信と前記第2の種類のランダムアクセス送信は、前記スロットの前記ランダムアクセスチャネル部分の少なくとも1つのリソースを共有する、請求項4に記載の方法。
【請求項８】
前記少なくとも1つのリソースは、前記第1の種類のランダムアクセス送信用の第1のサイクリックシフトおよび前記第2の種類のランダムアクセス送信用の第2のサイクリックシフトに関連付けられる、請求項7に記載の方法。
【請求項９】
前記第1の種類のランダムアクセス送信または前記第2の種類のランダムアクセス送信の前記少なくとも一方は、前記スロットの前記ランダムアクセスチャネル部分内で、ある回数だけ繰り返して送信される、請求項1に記載の方法。
【請求項１０】
前記繰り返しの回数は、チャネル条件のセットに少なくとも部分的に基づいて選択される、請求項9に記載の方法。
【請求項１１】
前記各繰返しでは、前記スロットの前記ランダムアクセスチャネル部分のそれぞれに異なるリソースを使用し、前記ユニットのグリッドの第3のユニットが、前記第2の種類のランダムアクセス送信の第1のレベルの繰り返しのために予約され、前記ユニットのグリッドの第4のユニットが、前記第2の種類のランダムアクセス送信の第2のレベルの繰り返しのために予約される、請求項9に記載の方法。
【請求項１２】
前記それぞれに異なるリソースは、前記スロットの前記ランダムアクセスチャネル部分内のそれぞれに異なる周波数、それぞれに異なる時間、またはそれぞれに異なるサイクリックシフトのうちの少なくとも1つを含む、請求項11に記載の方法。
【請求項１３】
前記スロットの前記ランダムアクセスチャネル部分の前記それぞれに異なるリソース用のスケジュールは、基地局シグナリングによって特定される、請求項11に記載の方法。
【請求項１４】
第1の繰り返しの回数が第1のユーザに関連付けられ、第2の繰り返しの回数が第2のユーザに関連付けられる、請求項9に記載の方法。
【請求項１５】
前記スロットは、ダウンリンク制御部分と、アップリンクロングバースト部分と、アップリンクショートバースト部分とを含み、
前記ランダムアクセスチャネル部分は、前記アップリンクロングバースト部分内に構成される、請求項1に記載の方法。
【請求項１６】
前記チャネル条件が、信号対雑音比(SNR)パラメータまたはドップラーパラメータのうちの少なくとも1つを含む、請求項1に記載の方法。
【請求項１７】
前記第1の種類のランダムアクセス送信は、第1の種類の物理ランダムアクセスチャネル(PRACH)ランダムアクセス送信であり、
前記第2の種類のランダムアクセス送信は、第2の種類のPRACHランダムアクセス送信であり、
前記第1の種類のPRACHランダムアクセス送信の前記プリアンブルは、第1のランダムアクセスチャネル(RACH)プリアンブルであり、
前記第2の種類のPRACHランダムアクセス送信の前記プリアンブルは、第2のRACHプリアンブルであり、
前記ランダムアクセスメッセージは、RACHランダムアクセスメッセージである、請求項1に記載の方法。
【請求項１８】
ワイヤレス通信のためのデバイスであって、
メモリと、
前記メモリに結合された1つまたは複数のプロセッサとを含み、前記メモリおよび前記1つまたは複数のプロセッサが、
スロットのランダムアクセスチャネル部分内で第1の種類のランダムアクセス送信または第2の種類のランダムアクセス送信の少なくとも一方を送信するべきかどうかをチャネル条件に基づき判定することであって、前記スロットの前記ランダムアクセスチャネル部分が、アップリンク通信またはダウンリンク通信のうちの少なくとも1つのためにネットワークへアクセス可能にするために使用され、
前記第1の種類のランダムアクセス送信が、プリアンブルを含み、
前記第2の種類のランダムアクセス送信が、前記プリアンブルとランダムアクセスメッセージとを含み、
前記第1の種類のランダムアクセス送信および前記第2の種類のランダムアクセス送信の各々は、共通のユニット構造で構成され、
前記スロットの前記ランダムアクセスチャネル部分がユニットのグリッドを含み、
前記第1の種類のランダムアクセス送信が、周波数および第1の時間に関連付けられる前記ユニットのグリッドの第1のユニットに割り当てられ、
前記第2の種類のランダムアクセス送信が、前記周波数および第2の時間に関連付けられる前記ユニットのグリッドの第2のユニットに割り当てられ、
前記第1のユニットおよび前記第2のユニットが重複しない、判定することと、
前記スロットの前記ランダムアクセスチャネル部分内で前記第1の種類のランダムアクセス送信または前記第2の種類のランダムアクセス送信の前記少なくとも一方を送信することとを行うように構成されるデバイス。
【請求項１９】
前記プリアンブルは、前記ユニットのグリッドのうちの1つのユニットを占有し、前記ランダムアクセスメッセージは、前記ユニットのグリッドのうちの1つのユニットを占有する、請求項18に記載のデバイス。
【請求項２０】
前記第2の種類のランダムアクセス送信は、複数のランダムアクセスメッセージを含み、
前記複数のランダムアクセスメッセージの各々は、前記ユニットのグリッドのうちの異なるユニットを占有する、請求項19に記載のデバイス。
【請求項２１】
前記第1の種類のランダムアクセス送信および前記第2の種類のランダムアクセス送信は、前記スロットの前記ランダムアクセスチャネル部分内で送信される、請求項18に記載のデバイス。
【請求項２２】
前記第1の種類のランダムアクセス送信および前記第2の種類のランダムアクセス送信は、前記スロットの前記ランダムアクセスチャネル部分の別個のリソースを使用して送信される、請求項21に記載のデバイス。
【請求項２３】
前記別個のリソース用のスケジュールは、基地局シグナリングによって特定される、請求項22に記載のデバイス。
【請求項２４】
前記第1の種類のランダムアクセス送信と前記第2の種類のランダムアクセス送信は、前記スロットの前記ランダムアクセスチャネル部分の少なくとも1つのリソースを共有する、請求項21に記載のデバイス。
【請求項２５】
前記少なくとも1つのリソースは、前記第1の種類のランダムアクセス送信用の第1のサイクリックシフトおよび前記第2の種類のランダムアクセス送信用の第2のサイクリックシフトに関連付けられる、請求項24に記載のデバイス。
【請求項２６】
前記第1の種類のランダムアクセス送信または前記第2の種類のランダムアクセス送信の前記少なくとも一方は、前記スロットの前記ランダムアクセスチャネル部分内で、ある回数だけ繰り返して送信される、請求項18に記載のデバイス。
【請求項２７】
前記繰り返しの回数は、チャネル条件のセットに少なくとも部分的に基づいて選択され、請求項26に記載のデバイス。
【請求項２８】
前記繰り返しでは、前記スロットの前記ランダムアクセスチャネル部分のそれぞれに異なるリソースを使用し、前記ユニットのグリッドの第3のユニットが、前記第2の種類のランダムアクセス送信の第1のレベルの繰り返しのために予約され、前記ユニットのグリッドの第4のユニットが、前記第2の種類のランダムアクセス送信の第2のレベルの繰り返しのために予約される、請求項26に記載のデバイス。
【請求項２９】
前記それぞれに異なるリソースは、前記スロットの前記ランダムアクセスチャネル部分内のそれぞれに異なる周波数、それぞれに異なる時間、またはそれぞれに異なるサイクリックシフトのうちの少なくとも1つを含む、請求項28に記載のデバイス。
【請求項３０】
前記スロットの前記ランダムアクセスチャネル部分の前記それぞれに異なるリソース用のスケジュールは、基地局シグナリングによって特定される、請求項28に記載のデバイス。
【請求項３１】
第1の繰り返しの回数が第1のユーザに関連付けられ、第2の繰り返しの回数が第2のユーザに関連付けられる、請求項26に記載のデバイス。
【請求項３２】
前記スロットは、ダウンリンク制御部分と、アップリンクロングバースト部分と、アップリンクショートバースト部分とを含み、
前記ランダムアクセスチャネル部分は、前記アップリンクロングバースト部分内に構成される、請求項18に記載のデバイス。
【請求項３３】
前記第1の種類のランダムアクセス送信は、第1の種類の物理ランダムアクセスチャネル(PRACH)ランダムアクセス送信であり、
前記第2の種類のランダムアクセス送信は、第2の種類のPRACHランダムアクセス送信であり、
前記第1の種類のPRACHランダムアクセス送信の前記プリアンブルは、第1のランダムアクセスチャネル(RACH)プリアンブルであり、
前記第2の種類のPRACHランダムアクセス送信の前記プリアンブルは、第2のRACHプリアンブルであり、
前記ランダムアクセスメッセージは、RACHランダムアクセスメッセージである、請求項18に記載のデバイス。
【請求項３４】
ワイヤレス通信のための装置であって、
スロットのランダムアクセスチャネル部分内で第1の種類のランダムアクセス送信または第2の種類のランダムアクセス送信の少なくとも一方を送信するべきかどうかをチャネル条件に基づき判定するための手段であって、前記スロットの前記ランダムアクセスチャネル部分が、アップリンク通信またはダウンリンク通信のうちの少なくとも1つのためにネットワークへアクセス可能にするために使用され、
前記第1の種類のランダムアクセス送信が、プリアンブルを含み、
前記第2の種類のランダムアクセス送信が、前記プリアンブルとランダムアクセスメッセージとを含み、
前記判定するための手段が、ハードウェア内に少なくとも部分的に実装され、
前記第1の種類のランダムアクセス送信および前記第2の種類のランダムアクセス送信の各々は、共通のユニット構造で構成され、
前記スロットの前記ランダムアクセスチャネル部分がユニットのグリッドを含み、
前記第1の種類のランダムアクセス送信が、周波数および第1の時間に関連付けられる前記ユニットのグリッドの第1のユニットに割り当てられ、
前記第2の種類のランダムアクセス送信が、前記周波数および第2の時間に関連付けられる前記ユニットのグリッドの第2のユニットに割り当てられ、
前記第1のユニットおよび前記第2のユニットが重複しない、判定するための手段と、
前記スロットの前記ランダムアクセスチャネル部分内で前記第1の種類のランダムアクセス送信または前記第2の種類のランダムアクセス送信の前記少なくとも一方を送信するための手段とを備える装置。
【請求項３５】
前記プリアンブルは、前記ユニットのグリッドのうちの1つのユニットを占有し、前記ランダムアクセスメッセージは、前記ユニットのグリッドのうちの1つのユニットを占有する、請求項34に記載の装置。
【請求項３６】
前記第2の種類のランダムアクセス送信は、複数のランダムアクセスメッセージを含み、
前記複数のランダムアクセスメッセージの各々は、前記ユニットのグリッドのうちの異なるユニットを占有する、請求項35に記載の装置。
【請求項３７】
前記第1の種類のランダムアクセス送信および前記第2の種類のランダムアクセス送信は、前記スロットの前記ランダムアクセスチャネル部分内で送信される、請求項34に記載の装置。
【請求項３８】
前記第1の種類のランダムアクセス送信および前記第2の種類のランダムアクセス送信は、前記スロットの前記ランダムアクセスチャネル部分の別個のリソースを使用して送信される、請求項37に記載の装置。
【請求項３９】
前記別個のリソース用のスケジュールは、基地局シグナリングによって特定される、請求項38に記載の装置。
【請求項４０】
前記第1の種類のランダムアクセス送信と前記第2の種類のランダムアクセス送信は、前記スロットの前記ランダムアクセスチャネル部分の少なくとも1つのリソースを共有する、請求項37に記載の装置。
【請求項４１】
前記少なくとも1つのリソースは、前記第1の種類のランダムアクセス送信用の第1のサイクリックシフトおよび前記第2の種類のランダムアクセス送信用の第2のサイクリックシフトに関連付けられる、請求項40に記載の装置。
【請求項４２】
前記第1の種類のランダムアクセス送信または前記第2の種類のランダムアクセス送信の前記少なくとも一方は、前記スロットの前記ランダムアクセスチャネル部分内で、ある回数だけ繰り返して送信される、請求項34に記載の装置。
【請求項４３】
前記繰り返しの回数は、チャネル条件のセットに少なくとも部分的に基づいて選択される、請求項42に記載の装置。
【請求項４４】
前記各繰返しでは、前記スロットの前記ランダムアクセスチャネル部分のそれぞれに異なるリソースを使用し、前記ユニットのグリッドの第3のユニットが、前記第2の種類のランダムアクセス送信の第1のレベルの繰り返しのために予約され、前記ユニットのグリッドの第4のユニットが、前記第2の種類のランダムアクセス送信の第2のレベルの繰り返しのために予約される、請求項42に記載の装置。
【請求項４５】
前記それぞれに異なるリソースは、前記スロットの前記ランダムアクセスチャネル部分内のそれぞれに異なる周波数、それぞれに異なる時間、またはそれぞれに異なるサイクリックシフトのうちの少なくとも1つを含む、請求項44に記載の装置。
【請求項４６】
前記スロットの前記ランダムアクセスチャネル部分の前記それぞれに異なるリソース用のスケジュールは、基地局シグナリングによって特定される、請求項44に記載の装置。
【請求項４７】
第1の繰り返しの回数が第1のユーザに関連付けられ、第2の繰り返しの回数が第2のユーザに関連付けられる、請求項42に記載の装置。
【請求項４８】
前記スロットは、ダウンリンク制御部分と、アップリンクロングバースト部分と、アップリンクショートバースト部分とを含み、
前記ランダムアクセスチャネル部分は、前記アップリンクロングバースト部分内に構成される、請求項34に記載の装置。
【請求項４９】
前記第1の種類のランダムアクセス送信は、第1の種類の物理ランダムアクセスチャネル(PRACH)ランダムアクセス送信であり、
前記第2の種類のランダムアクセス送信は、第2の種類のPRACHランダムアクセス送信であり、
前記第1の種類のPRACHランダムアクセス送信の前記プリアンブルは、第1のランダムアクセスチャネル(RACH)プリアンブルであり、
前記第2の種類のPRACHランダムアクセス送信の前記プリアンブルは、第2のRACHプリアンブルであり、
前記ランダムアクセスメッセージは、RACHランダムアクセスメッセージである、請求項34に記載の装置。
【請求項５０】
ワイヤレス通信のための命令を記憶した非一時的コンピュータ可読記憶媒体であって、前記命令が、
デバイスの1つまたは複数のプロセッサによって実行されたときに、前記1つまたは複数のプロセッサに、
スロットのランダムアクセスチャネル部分内で第1の種類のランダムアクセス送信または第2の種類のランダムアクセス送信の少なくとも一方を送信するべきかどうかをチャネル条件に基づき判定することであって、前記スロットの前記ランダムアクセスチャネル部分が、アップリンク通信またはダウンリンク通信のうちの少なくとも1つのためにネットワークへアクセス可能にするために使用され、
前記第1の種類のランダムアクセス送信が、プリアンブルを含み、
前記第2の種類のランダムアクセス送信が、前記プリアンブルとランダムアクセスメッセージとを含み、
前記第1の種類のランダムアクセス送信および前記第2の種類のランダムアクセス送信の各々は、共通のユニット構造で構成され、
前記スロットの前記ランダムアクセスチャネル部分がユニットのグリッドを含み、
前記第1の種類のランダムアクセス送信が、周波数および第1の時間に関連付けられる前記ユニットのグリッドの第1のユニットに割り当てられ、
前記第2の種類のランダムアクセス送信が、前記周波数および第2の時間に関連付けられる前記ユニットのグリッドの第2のユニットに割り当てられ、
前記第1のユニットおよび前記第2のユニットが重複しない、判定することと、
前記スロットの前記ランダムアクセスチャネル部分内で前記第1の種類のランダムアクセス送信または前記第2の種類のランダムアクセス送信の前記少なくとも一方を送信することとを行わせる1つまたは複数の命令を含む非一時的コンピュータ可読記憶媒体。
【請求項５１】
前記プリアンブルは、前記ユニットのグリッドのうちの1つのユニットを占有し、前記ランダムアクセスメッセージは、前記ユニットのグリッドのうちの1つのユニットを占有する、請求項50に記載の非一時的コンピュータ可読記憶媒体。
【請求項５２】
ワイヤレス通信のための方法であって、
基地局によって、スロットのランダムアクセスチャネル部分内で第1の種類のランダムアクセス送信または第2の種類のランダムアクセス送信の少なくとも一方を受信すべきかどうかを判定するステップであって、前記スロットの前記ランダムアクセスチャネル部分が、アップリンク通信またはダウンリンク通信のうちの少なくとも1つのためにネットワークへアクセス可能にするために使用され、
前記第1の種類のランダムアクセス送信が、プリアンブルを含み、
前記第2の種類のランダムアクセス送信が、前記プリアンブルとランダムアクセスメッセージとを含み、
前記第1の種類のランダムアクセス送信および前記第2の種類のランダムアクセス送信の各々は、共通のユニット構造で構成され、
前記スロットの前記ランダムアクセスチャネル部分がユニットのグリッドを含み、
前記第1の種類のランダムアクセス送信が、周波数および第1の時間に関連付けられる前記ユニットのグリッドの第1のユニットに割り当てられ、
前記第2の種類のランダムアクセス送信が、前記周波数および第2の時間に関連付けられる前記ユニットのグリッドの第2のユニットに割り当てられ、
前記第1のユニットおよび前記第2のユニットが重複しない、ステップと、
前記基地局によって、前記スロットの前記ランダムアクセスチャネル部分内で前記第1の種類のランダムアクセス送信または前記第2の種類のランダムアクセス送信の前記少なくとも一方を受信するステップとを含む方法。
【請求項５３】
前記プリアンブルは、前記ユニットのグリッドのうちの1つのユニットを占有し、前記ランダムアクセスメッセージは、前記ユニットのグリッドのうちの1つのユニットを占有する、請求項52に記載の方法。
【請求項５４】
前記第2の種類のランダムアクセス送信は、複数のランダムアクセスメッセージを含み、
前記複数のランダムアクセスメッセージの各々は、前記ユニットのグリッドのうちの異なるユニットを占有する、請求項53に記載の方法。
【請求項５５】
前記第1の種類のランダムアクセス送信および前記第2の種類のランダムアクセス送信は、前記スロットの前記ランダムアクセスチャネル部分内で送信される、請求項52に記載の方法。
【請求項５６】
前記第1の種類のランダムアクセス送信および前記第2の種類のランダムアクセス送信は、前記スロットの前記ランダムアクセスチャネル部分の別個のリソースを使用して送信される、請求項55に記載の方法。
【請求項５７】
前記別個のリソース用のスケジュールは、基地局シグナリングによって特定される、請求項56に記載の方法。
【請求項５８】
前記第1の種類のランダムアクセス送信と前記第2の種類のランダムアクセス送信は、前記スロットの前記ランダムアクセスチャネル部分の少なくとも1つのリソースを共有する、請求項55に記載の方法。
【請求項５９】
前記少なくとも1つのリソースは、前記第1の種類のランダムアクセス送信用の第1のサイクリックシフトおよび前記第2の種類のランダムアクセス送信用の第2のサイクリックシフトに関連付けられる、請求項58に記載の方法。
【請求項６０】
ワイヤレス通信のためのデバイスであって、
メモリと、
前記メモリに結合された1つまたは複数のプロセッサとを含み、前記メモリおよび前記1つまたは複数のプロセッサが、
スロットのランダムアクセスチャネル部分内で第1の種類のランダムアクセス送信または第2の種類のランダムアクセス送信の少なくとも一方を受信すべきかどうかを判定することであって、前記スロットの前記ランダムアクセスチャネル部分が、アップリンク通信またはダウンリンク通信のうちの少なくとも1つのためにネットワークへアクセス可能にするために使用され、
前記第1の種類のランダムアクセス送信が、プリアンブルを含み、
前記第2の種類のランダムアクセス送信が、前記プリアンブルとランダムアクセスメッセージとを含み、
前記第1の種類のランダムアクセス送信および前記第2の種類のランダムアクセス送信の各々は、共通のユニット構造で構成され、
前記スロットの前記ランダムアクセスチャネル部分がユニットのグリッドを含み、前記第1の種類のランダムアクセス送信が、周波数および第1の時間に関連付けられる前記ユニットのグリッドの第1のユニットに割り当てられ、
前記第2の種類のランダムアクセス送信が、前記周波数および第2の時間に関連付けられる前記ユニットのグリッドの第2のユニットに割り当てられ、
前記第1のユニットおよび前記第2のユニットが重複しない、判定することと、
前記スロットの前記ランダムアクセスチャネル部分内で前記第1の種類のランダムアクセス送信または前記第2の種類のランダムアクセス送信の前記少なくとも一方を受信することとを行うように構成されるデバイス。
【請求項６１】
前記プリアンブルは、前記ユニットのグリッドのうちの1つのユニットを占有し、前記ランダムアクセスメッセージは、前記ユニットのグリッドのうちの1つのユニットを占有する、請求項60に記載のデバイス。
【請求項６２】
前記第2の種類のランダムアクセス送信は、複数のランダムアクセスメッセージを含み、
前記複数のランダムアクセスメッセージの各々は、前記ユニットのグリッドのうちの異なるユニットを占有する、請求項61に記載のデバイス。
【請求項６３】
前記第1の種類のランダムアクセス送信および前記第2の種類のランダムアクセス送信は、前記スロットの前記ランダムアクセスチャネル部分内で送信される、請求項60に記載のデバイス。
【請求項６４】
前記第1の種類のランダムアクセス送信および前記第2の種類のランダムアクセス送信は、前記スロットの前記ランダムアクセスチャネル部分の別個のリソースを使用して送信される、請求項63に記載のデバイス。
【請求項６５】
前記別個のリソース用のスケジュールは、基地局シグナリングによって特定される、請求項64に記載のデバイス。
【請求項６６】
前記第1の種類のランダムアクセス送信と前記第2の種類のランダムアクセス送信は、前記スロットの前記ランダムアクセスチャネル部分の少なくとも1つのリソースを共有する、請求項63に記載のデバイス。
【請求項６７】
前記少なくとも1つのリソースは、前記第1の種類のランダムアクセス送信用の第1のサイクリックシフトおよび前記第2の種類のランダムアクセス送信用の第2のサイクリックシフトに関連付けられる、請求項66に記載のデバイス。
【請求項６８】
ワイヤレス通信のための装置であって
スロットのランダムアクセスチャネル部分内で第1の種類のランダムアクセス送信または第2の種類のランダムアクセス送信の少なくとも一方を受信すべきかどうかを判定するための手段であって、前記スロットの前記ランダムアクセスチャネル部分が、アップリンク通信またはダウンリンク通信のうちの少なくとも1つのためにネットワークへアクセス可能にするために使用され、
前記第1の種類のランダムアクセス送信が、プリアンブルを含み、
前記第2の種類のランダムアクセス送信が、前記プリアンブルとランダムアクセスメッセージとを含み、
前記第1の種類のランダムアクセス送信および前記第2の種類のランダムアクセス送信の各々は、共通のユニット構造で構成され、
前記スロットの前記ランダムアクセスチャネル部分がユニットのグリッドを含み、
前記第1の種類のランダムアクセス送信が、周波数および第1の時間に関連付けられる前記ユニットのグリッドの第1のユニットに割り当てられ、
前記第2の種類のランダムアクセス送信が、前記周波数および第2の時間に関連付けられる前記ユニットのグリッドの第2のユニットに割り当てられ、
前記判定するための手段が、ハードウェア内に少なくとも部分的に実装され、
前記第1のユニットおよび前記第2のユニットが重複しない、判定するための手段と、
前記スロットの前記ランダムアクセスチャネル部分内で前記第1の種類のランダムアクセス送信または前記第2の種類のランダムアクセス送信の前記少なくとも一方を受信するための手段とを備える装置。
【請求項６９】
前記プリアンブルは、前記ユニットのグリッドのうちの1つのユニットを占有し、前記ランダムアクセスメッセージは、前記ユニットのグリッドのうちの1つのユニットを占有する、請求項68に記載の装置。
【請求項７０】
前記第2の種類のランダムアクセス送信は、複数のランダムアクセスメッセージを含み、
前記複数のランダムアクセスメッセージの各々は、前記ユニットのグリッドのうちの異なるユニットを占有する、請求項69に記載の装置。
【請求項７１】
前記第1の種類のランダムアクセス送信および前記第2の種類のランダムアクセス送信は、前記スロットの前記ランダムアクセスチャネル部分内で送信される、請求項68に記載の装置。
【請求項７２】
前記第1の種類のランダムアクセス送信および前記第2の種類のランダムアクセス送信は、前記スロットの前記ランダムアクセスチャネル部分の別個のリソースを使用して送信される、請求項71に記載の装置。
【請求項７３】
前記別個のリソース用のスケジュールは、基地局シグナリングによって特定される、請求項72に記載の装置。
【請求項７４】
前記第1の種類のランダムアクセス送信と前記第2の種類のランダムアクセス送信は、前記スロットの前記ランダムアクセスチャネル部分の少なくとも1つのリソースを共有する、請求項71に記載の装置。
【請求項７５】
前記少なくとも1つのリソースは、前記第1の種類のランダムアクセス送信用の第1のサイクリックシフトおよび前記第2の種類のランダムアクセス送信用の第2のサイクリックシフトに関連付けられる、請求項74に記載の装置。
【請求項７６】
ワイヤレス通信のための命令を記憶した非一時的コンピュータ可読記憶媒体であって、前記命令が、
デバイスの1つまたは複数のプロセッサによって実行されたときに、前記1つまたは複数のプロセッサに、
スロットのランダムアクセスチャネル部分内で第1の種類のランダムアクセス送信または第2の種類のランダムアクセス送信の少なくとも一方を受信すべきかどうかを判定することであって、前記スロットの前記ランダムアクセスチャネル部分が、アップリンク通信またはダウンリンク通信のうちの少なくとも1つのためにネットワークへアクセス可能にするために使用され、
前記第1の種類のランダムアクセス送信が、プリアンブルを含み、
前記第2の種類のランダムアクセス送信が、前記プリアンブルとランダムアクセスメッセージとを含み、
前記第1の種類のランダムアクセス送信および前記第2の種類のランダムアクセス送信の各々は、共通のユニット構造で構成され、
前記スロットの前記ランダムアクセスチャネル部分がユニットのグリッドを含み、
前記第1の種類のランダムアクセス送信が、周波数および第1の時間に関連付けられる前記ユニットのグリッドの第1のユニットに割り当てられ、
前記第2の種類のランダムアクセス送信が、前記周波数および第2の時間に関連付けられる前記ユニットのグリッドの第2のユニットに割り当てられ、
前記第1のユニットおよび前記第2のユニットが重複しない、判定することと、
前記スロットの前記ランダムアクセスチャネル部分内で前記第1の種類のランダムアクセス送信または前記第2の種類のランダムアクセス送信の前記少なくとも一方を受信することとを行わせる1つまたは複数の命令を含む非一時的コンピュータ可読記憶媒体。
【請求項７７】
前記プリアンブルは、前記ユニットのグリッドのうちの1つのユニットを占有し、前記ランダムアクセスメッセージは、前記ユニットのグリッドのうちの1つのユニットを占有する、請求項76に記載の非一時的コンピュータ可読記憶媒体。
【請求項７８】
前記第2の種類のランダムアクセス送信は、複数のランダムアクセスメッセージを含み、
前記複数のランダムアクセスメッセージの各々は、前記ユニットのグリッドのうちの異なるユニットを占有する、請求項77に記載の非一時的コンピュータ可読記憶媒体。
【請求項７９】
前記第1の種類のランダムアクセス送信および前記第2の種類のランダムアクセス送信は、前記スロットの前記ランダムアクセスチャネル部分内で送信される、請求項76に記載の非一時的コンピュータ可読記憶媒体。
【請求項８０】
前記第1の種類のランダムアクセス送信および前記第2の種類のランダムアクセス送信は、前記スロットの前記ランダムアクセスチャネル部分の別個のリソースを使用して送信される、請求項79に記載の非一時的コンピュータ可読記憶媒体。
【請求項８１】
前記別個のリソース用のスケジュールは、基地局シグナリングによって特定される、請求項80に記載の非一時的コンピュータ可読記憶媒体。